(57)【特許請求の範囲】
【請求項１】
キャップ本体に蓋部がヒンジを介して接続するキャップにおいて、前記キャップ本体の周壁上端の内縁周に中心方向へ水平で薄肉脆弱線と肉厚部とからなる天板の外周縁部を介して天板上面に咬合筒を突設し、前記薄肉脆弱線の引き裂き開始側の一端から周壁下端に達する薄肉脆弱線を形成し、前記２本の薄肉脆弱線が交叉する引き裂き方向側の周壁上端位置の外面に切断用つまみを突設し、前記キャップ本体に前記蓋部を被せたときに、キャップ本体の前記咬合筒上面と当接する支持部を蓋部の周壁の下端内縁周面に設け、且つ、キャップ本体の天板から垂設するインナー封止リングのキャップ本体の周壁の下端内周面に設けられた咬合リングと対応する位置に、垂直面を設けたことを特徴とするプラスチックキャップ。
【請求項２】
前記インナー封止リングに設けた垂直面の縦方向の幅が、少なくとも０．５ｍｍであることを特徴とする請求項１記載のプラスチックキャップ。
【発明の詳細な説明】
【０００１】
【発明の属する技術分野】
本発明は、ポン酢、みりんなどの食品や、シャンプー、柔軟剤、台所洗剤などの非食品などに使用するボトルの口部に、打栓して装着するキャップ本体に蓋部がヒンジを介して接続するプラスチックキャップに関するものである。
【０００２】
【従来の技術】
従来、液体内容物を充填したボトルには、その使用のし易さを付与するため、キャップ本体に蓋部がヒンジを介して接続するいわゆるプラスチック製のヒンジキャップが、ボトルの口部に打栓方式で装着され、広い用途範囲にわたって使用されていた。
【０００３】
【発明が解決しようとする課題】
ところで、最近、環境保全の問題から、使用後の容器を廃棄処理するときに、各部品を分別収集する機運が高まってきている。しかしながら、上述したヒンジキャップ付のボトルは、廃棄するときに、ボトル口部からキャップを取り外そうとしても、キャップの周壁下方内面に設けられている咬合リングが、ボトルの口部に咬合して取り外しにくいことがあった。
【０００４】
本発明は、上述の従来の問題を解決するものであり、使用後のボトルを廃棄するときに、ボトルの口部から取り外し易く、ボトル口部に打栓方式で装着するときに、損傷しにくく、また、外観性が良好であり、密封性が良好なプラスチックキャップを提供するものである。
【０００５】
【課題を解決するための手段】
すなわち、本発明の第１の発明は、図１（ａ）乃至（ｄ）に示すように、キャップ本体（１００）に蓋部（２００）がヒンジ（１０１）を介して接続するキャップにおいて、キャップ本体（１００）の周壁（１１０）上端の内縁周に中心方向へ水平で薄肉脆弱線（１２１）と肉厚部（１２２）とからなる天板（１２０）の外周縁部を介して天板上面に咬合筒（１３０）を突設し、薄肉脆弱線（１２１）の引き裂き開始側の一端から周壁（１１０）下端に達する薄肉脆弱線（１１２）を形成し、これら２本の薄肉脆弱線（１２１と１１２）が交叉する引き裂き方向側の周壁（１１０）上端位置の外面に切断用つまみ（１７０）を突設し、キャップ本体に蓋部を被せたときに、キャップ本体の咬合筒（１３０）上面と当接する支持部（２１１）を蓋部（２００）の周壁（２１０）の下端内縁周面に設け、且つ、キャップ本体（１００）の天板（１２０）から垂設するインナー封止リング（１６０）のキャップ本体の周壁の下端内周面に設けられた咬合リング（１１１）と対応する位置に、垂直面（１６１）を設けたことを特徴とするプラスチックキャップ（１０）である。
【０００６】
そして、本発明の第２の発明は、図１（ａ）及び図３に示す上述のインナー封止リング（１６０）に設けた垂直面（１６１）の縦方向の幅が、少なくとも０．５ｍｍであることを特徴とする第１の発明に記載のプラスチックキャップ（１０）である。
【０００７】
【作用】
本発明のプラスチックキャップを口部に装着したボトルは、キャップ本体の周壁の上端位置の外面に突設する切断用つまみを引っ張ると、周壁上端の内縁周の天板に設けられた薄肉脆弱線と周壁の上端から下端に設けられた薄肉脆弱線が切断されて、キャップ本体の周壁の下端内周面に設けられた咬合リングとボトル口部との咬合が外れ、キャップをボトル口部から容易に取り外すことができる。このため、使用後のボトルを廃棄するときに、ボトルからキャップを取り外すことが容易であり、各部品を分別収集し易い。
【０００８】
また、本発明のプラスチックキャップは、ボトル口部に打栓方式で装着するときに、キャップ本体の咬合筒と蓋部の周壁の下端内縁周面に設けられた支持段差リング及び蓋部の周壁下面とキャップ本体の周壁上面とが当接して打栓力を受けるため、薄肉脆弱線に打栓力が掛からず打栓時に薄肉脆弱線を損傷することがない。
【０００９】
また、本発明のプラスチックキャップのキャップ本体の天板の外周縁部に設けられた薄肉脆弱線は、周壁上端の内縁周に中心方向へ水平に設けられているため、外側から見えずキャップの外観性を損なうことがない。
【００１０】
そして、本発明のプラスチックキャップのキャップ本体の天板から垂設するインナー封止リングには、キャップ本体の周壁の下端内周面に設けられた咬合リングと対応する位置に、垂直面が設けられているため、射出成形法によりキャップを作製するときに、キャップ本体の周壁の下端内周面に設けられた咬合リングのアンダーカットを比較的に大きく取ることができ、したがって、容器の口部に装着したときに、容器口部との咬合状態が良く密封性が良好である。
【００１１】
【発明の実施の形態】
本発明のプラスチックキャップ（１０）は、図１（ａ）に示すように、キャップ本体（１００）に蓋部（２００）がヒンジ（１０１）を介して接続するキャップであり、ボトルの口部に打栓方式で装着されるものである。そして、キャップの目的からキャップ本体に、切断可能な薄肉脆弱線（１１２，１２１）が形成されるため、比較的に柔らかい例えば低密度ポリエチレンなどの熱可塑性樹脂を用いて、射出成形法により作製されるものである。
【００１２】
キャップ本体の構造は、例えば図１（ａ）乃至（ｄ）に示すように、キャップ本体（１００）の周壁（１１０）上端の内縁周に中心方向へ水平で薄肉脆弱線（１２１）と肉厚部（１２２）とからなる天板（１２０）の外周縁部を介して天板上面に咬合筒（１３０）を突設し、薄肉脆弱線（１２１）の引き裂き開始側の一端から周壁（１１０）下端に達する薄肉脆弱線（１１２）を形成し、２本の薄肉脆弱線（１２１と１１２）が交叉する引き裂き方向側の周壁（１１０）上端位置の外面に切断用つまみ（１７０）を突設し、キャップ本体（１００）の天板（１２０）から垂設するボトル口部とのインナー封止リング（１６０）のキャップ本体の周壁の下端内周面に設けられた咬合リング（１１１）と対応する位置に、垂直面（１６１）を設けるものである。そして、必要に応じて、天板のインナー封止リングの内側に、先端が嘴状の注出筒（１４０）を貫設し、この注出筒の内側に、プルリング（１５２）が連設する支柱（１５１）をもち、薄肉脆弱線（１５３）が周設する封鎖板（１５０）を設けたものである。なお、薄肉脆弱線は、故意に外力を加えたときに、破断する強度に設けるものであり、また、キャップ本体の周壁の下端内周面には、ボトル口部に咬合するための咬合リング（１１１）を設けるものである。
【００１３】
上述の天板の外周縁部に設ける薄肉脆弱線と肉厚部との長さは、図２に示すように、例えば中心角度で薄肉脆弱線（１２１）を２９０°で肉厚部（１２２）を７０°程度にするものであるが、これに限定するものではない。また、周壁（１１０）の外面に突設する切断用つまみ（１７０）は、ボトルの流通過程や使用中の外力により、誤って作動しないように、周壁（１００）に仮止部を設けて仮止することが好ましい。
【００１４】
また、図３に示すインナー封止リング（１６０）に設ける垂直面（１６１）は、縦方向の幅で少なくとも０．５ｍｍにするものである。０．５ｍｍ以下では、前述した作用の効果が得られない。
【００１５】
次に、蓋部の構造は、例えば図１（ａ）及び図４に示すように、キャップ本体に被せたときに、キャップ本体の咬合筒（１３０）上面と当接する支持部（２１１）を周壁（２１０）の下端内縁周面に設けるものである。そして、必要に応じて、天板（２２０）からキャップ本体（１００）の注出筒（１４０）とのインナー封止リング（２３０）を垂設するものである。
支持部（２１１）としては、段差リングまたはリブ等で形成すれば良い。
【００１６】
【発明の効果】
本発明のプラスチックキャップを口部に装着したボトルは、キャップ本体の周壁に突設する切断用つまみを引っ張ると、天板に設けられた薄肉脆弱線と周壁に設けられた薄肉脆弱線が切断されて、キャップをボトル口部から女性でもワンタッチの操作で容易に取り外すことができ、使用後のボトルを廃棄するときに、各部品を分別収集し易い。
【００１７】
また、本発明のプラスチックキャップは、ボトル口部に打栓方式で装着するときに、キャップの構造から薄肉脆弱線を損傷することがなく、容器口部との咬合状態が良好で密封性が良い。そのうえ、薄肉脆弱線が外側から見えにくいのでキャップの外観性も良好である。
【図面の簡単な説明】
【図１】（ａ）は、本発明の一実施形態のプラスチックキャップの蓋部を開いた状態の断面図であり、（ｂ）は、その正面図であり、（ｃ）は、平面図であり、そして、（ｄ）は、底面図である。
【図２】切断用つまみ、天板の外周縁部の薄肉脆弱線及び肉厚部、周壁の薄肉脆弱線を状態を示す断面図である。
【図３】キャップ本体のインナー封止リングの形状を示す部分断面図である。
【図４】本発明のプラスチックキャップをボトルの口部に打栓方式で装着したときの断面図である。
【符号の説明】
１０……キャップ
２０……ボトル
１００……キャップ本体
１０１……ヒンジ
１１０，２１０……周壁
１１１……咬合リング
１１２，１２１，１５３……薄肉脆弱線
１２０，２２０……天板
１２２……肉圧部
１３０……咬合筒
１４０……注出筒
１５０……封鎖板
１５１……支柱
１５２……プルリング
１６０，２３０……インナー封止リング
１６１……垂直面
１７０……切断用つまみ
１７１……仮止部
２００……蓋部
２１１……支持部
【図１】
0003606052.tif 000002
【図２】
0003606052.tif 000003
【図３】
0003606052.tif 000004
【図４】
0003606052.tif 000005